(57)【特許請求の範囲】
【請求項１】
互いに分離された一連の部材に紐状体が順に挿通され、これら一連の部材のうちの一端部に位置する部材に前記紐状体の一端部が係止され、他端部に位置する部材から外部に出る前記紐状体の部分に、当該紐状体を前記他端部に位置する部材に係止する留め具が取り付けられており、当該留め具は、操作により前記紐状体に沿って移動させることも、当該紐状体に固定することも可能である部材連結体を、ハンガー本体に含み、
前記紐状体を前記他端部に位置する部材から引き出し、当該紐状体に張力を付与した状態で、前記留め具を前記他端部に位置する部材に当接させることにより、当該ハンガー本体の形状を、衣服を掛けるのに適した形状に維持することが可能なハンガー。
【請求項２】
前記紐状体は、当該紐状体の一端部から遠い方へ留め具を移動させることにより、前記部材の列を互いに屈曲自在な状態にすることが可能なほどに、十分な長さを有する、請求項１に記載のハンガー。
【請求項３】
前記ハンガー本体は、ハンガーの両腕と当該両腕の間に挟まれる中間部材とを、互いに分離された形態で含んでおり、
前記中間部材と一方の腕とが、当該中間部材を前記他端部に位置する部材とする前記部材連結体である第１の部材連結体をなしており、
前記中間部材と他方の腕とが、当該中間部材を前記他端部に位置する部材とする前記部材連結体である第２の部材連結体をなしており、
前記第１の部材連結体に対応する第１の紐状体と、前記第２の部材連結体に対応する第２の紐状体の双方が、前記中間部材から外部に出ている、請求項１又は２に記載のハンガー。
【請求項４】
前記中間部材から外部に出ている前記第１及び第２紐状体は、互いに連結されている、請求項３に記載のハンガー。
【請求項５】
前記第１及び第２紐状体は、前記中間部材の頂部から外部に出ている、請求項４に記載のハンガー。
【請求項６】
前記ハンガー本体は、一方の端部に位置する部材を前記一連の部材のうち前記一端部に位置する部材とし、他方の端部に位置する部材を前記一連の部材のうち前記他端部に位置する部材として、前記部材連結体をなしている、請求項１又は２に記載のハンガー。
【請求項７】
前記ハンガー本体は、ハンガーの両腕と当該両腕の間に挟まれる中間部材とを、互いに分離された形態で含んでおり、
前記中間部材と一方の腕とが、当該中間部材を前記一端部に位置する部材とする前記部材連結体である第１の部材連結体をなしており、
前記中間部材と他方の腕とが、当該中間部材を前記一端部に位置する部材とする前記部材連結体である第２の部材連結体をなしており、
前記第１の部材連結体に対応する第１の紐状体が、前記一方の腕の端部に位置する部材から外部に出ており、
前記第２の部材連結体に対応する第２の紐状体が、前記他方の腕の端部に位置する部材から外部に出ている、請求項１又は２に記載のハンガー。
【請求項８】
前記部材連結体の一連の部材は、互いに面で接触する形状を有する、請求項１ないし７のいずれかに記載のハンガー。
【請求項９】
前記部材連結体の一連の部材は、紐状体の周囲でのみ互いに接触する形状を有する、請求項１ないし７のいずれかに記載のハンガー。
【発明の詳細な説明】
【技術分野】
【０００１】
本発明は、衣類を掛けるためのハンガーに関する。
【背景技術】
【０００２】
従来、形状を可変とすることにより、不使用時の寸法を小さくし、収納性及び携行性を高めたハンガーが知られている。例えば、特許文献１に開示されるハンガーでは、衣服を支えるパイプ状の支持部が、互いに嵌合及び取り外し可能な部材に３分割されている。また、特許文献２に開示されるハンガーでは、複数のパイプ状の部材が紐状体により連結されており、紐を環状にして緊縛することにより、略台形状の本体部が形成され、紐の緊縛を解くことにより、パイプ同士を折り畳んで収納に適した形状とすることが可能となっている。
【０００３】
しかし、これらの先行技術では、ハンガーを使用に供するときの形状は一定であり、形状を変えることはできないものとなっている。一方、四十肩を患う等により腕の動きが自由でない利用者が、ハンガーに掛けられている衣服を自力で着用するとき、あるいは、着用している衣服を脱衣し、自力でハンガーに掛けるときに、ハンガーの衣服を支持する腕の部分が適度に端下がりになると、身体への負荷が軽減され便宜である。
【先行技術文献】
【特許文献】
【０００４】
【特許文献１】特開２００４−２２９８６３号公報
【特許文献２】特開２００４−３２９８０４号公報
【発明の概要】
【発明が解決しようとする課題】
【０００５】
本発明は上記の問題点に鑑みてなされたもので、ハンガーの腕が適度に端下がりとなるように、ハンガー本体の形状を変えることのできるハンガーを提供することを目的とする。
【課題を解決するための手段】
【０００６】
上記課題を解決し上記目的を達成するために、本発明のうち第１の態様に係るものは、ハンガーであって、互いに分離された一連の部材に紐状体が順に挿通され、これら一連の部材のうちの一端部に位置する部材に前記紐状体の一端部が係止され、他端部に位置する部材から外部に出る前記紐状体の部分に、当該紐状体を前記他端部に位置する部材に係止する留め具が取り付けられており、当該留め具は、操作により前記紐状体に沿って移動させることも、当該紐状体に固定することも可能である部材連結体を、ハンガー本体に含んでいる。そして、前記紐状体を前記他端部に位置する部材から引き出し、当該紐状体に張力を付与した状態で、前記留め具を前記他端部に位置する部材に当接させることにより、当該ハンガー本体の形状を、衣服を掛けるのに適した形状に維持することが可能となっている。
【０００７】
この構成によれば、ハンガーの利用者は、ハンガー本体に含まれる一連の部材のうちの他端部に位置する部材から引き出すように紐状体を引張り、当該紐状体に張力を付与することにより、一連の部材を同時に互いに引き寄せることができ、それにより、ハンガー本体を、衣服を掛けるのに適した本来の形状にすることができる。この状態で、一連の部材のうちの他端部に位置する部材に留め具を当接させることにより、ハンガー本体を前記の形状に維持することができる。また、着衣や脱衣の際等において、紐状体の一端部から遠い方へ留め具を適度に移動させることにより、紐状体を適度に緩めることができ、それにより、ハンガーの腕を端下がりにすることも可能である。それにより四十肩などにより肩の動きが自由でない利用者の負荷を軽減して、着衣及び脱衣を容易なものとすることができる。
【０００８】
本発明のうち第２の態様に係るものは、第１の態様に係るハンガーであって、前記紐状体は、当該紐状体の一端部から遠い方へ留め具を移動させることにより、前記一連の部材を互いに屈曲自在な状態にすることが可能なほどに、十分な長さを有するものである。
【０００９】
この構成によれば、紐状体の一端部から遠い方へ留め具を十分に移動させることにより、一連の部材を互いに屈曲自在な状態にして、収納及び携行を容易なものとすることが可能である。
【００１０】
本発明のうち第３の態様に係るものは、第１又は第２の態様に係るハンガーであって、  前記ハンガー本体は、ハンガーの両腕と当該両腕の間に挟まれる中間部材とを、互いに分離された形態で含んでいる。そして、前記中間部材と一方の腕とが、当該中間部材を前記他端部に位置する部材とする前記部材連結体である第１の部材連結体をなしている。同様に、前記中間部材と他方の腕とが、当該中間部材を前記他端部に位置する部材とする前記部材連結体である第２の部材連結体をなしている。さらに、前記第１の部材連結体に対応する第１の紐状体と、前記第２の部材連結体に対応する第２の紐状体の双方が、前記中間部材から外部に出ている。
【００１１】
この構成によれば、留め具が両腕の間に位置することとなるので、衣服を掛けた状態で、留め具を操作することが容易である。例えば、衣服を掛けた後に紐状体の緊張を強めたり、衣服をハンガーから外して着衣するときに、紐状体の緊張を緩めたりすることが容易に行い得る。なお、留め具は、第１及び第２の紐状体の双方の部分に個別に取り付けられるように２個の留め具に分割されていてもよく、一体化されたものであってもよい。
【００１２】
本発明のうち第４の態様に係るものは、第３の態様に係るハンガーであって、前記中間部材から外部に出ている前記第１及び第２紐状体が、互いに連結されているものである。
【００１３】
この構成によれば、中間部材から出て一続きの環状となっている紐状体のうち、中間部材から最も遠い端部を、中間部材から離れるように引張ることにより、両腕のそれぞれを連結する第１及び第２紐状体を同時に緊張させることができる。
【００１４】
本発明のうち第５の態様に係るものは、第４の態様に係るハンガーであって、前記第１及び第２紐状体は、前記中間部材の頂部から外部に出ているものである。
【００１５】
この構成によれば、中間部材の頂部から出て一続きの環状となっている紐状体を、例えば壁の吊り下げ金具に掛けることにより、ハンガーを吊り下げることが可能となる。また、環状となっている紐状体に、例えば壁掛け用の鉤状の金具を取り付けることも可能となる。
【００１６】
本発明のうち第６の態様に係るものは、第１又は第２の態様に係るハンガーであって、前記ハンガー本体が、一方の端部に位置する部材を前記一連の部材のうち前記一端部に位置する部材とし、他方の端部に位置する部材を前記一連の部材のうち前記他端部に位置する部材として、前記部材連結体をなしているものである。
【００１７】
この構成によれば、紐状体とこれに取り付けられる留め具とを操作することにより、複数の部材に分割された本体部の形状を一度に変えることが可能である。
【００１８】
本発明のうち第７の態様に係るものは、第１又は第２の態様に係るハンガーであって、前記ハンガー本体は、ハンガーの両腕と当該両腕の間に挟まれる中間部材とを、互いに分離された形態で含んでいる。そして、前記中間部材と一方の腕とが、当該中間部材を前記一端部に位置する部材とする前記部材連結体である第１の部材連結体をなしている。同様に、前記中間部材と他方の腕とが、当該中間部材を前記一端部に位置する部材とする前記部材連結体である第２の部材連結体をなしている。さらに、前記第１の部材連結体に対応する第１の紐状体が、前記一方の腕の端部に位置する部材から外部に出ており、前記第２の部材連結体に対応する第２の紐状体が、前記他方の腕の端部に位置する部材から外部に出ている。
【００１９】
この構成によれば、第１及び第２の紐状体とこれらに取り付けられる留め具とを操作することにより、ハンガー本体のうち、一方の腕を含む部分の形状と、他方の腕を含む部分の形状とを、個別に変えることが可能である。
【００２０】
本発明のうち第８の態様に係るものは、第１ないし第７のいずれかの態様に係るハンガーであって、前記部材連結体の一連の部材は、互いに面で接触する形状を有するものである。
【００２１】
この構成によれば、紐状体を緊張させたときに、本体部が定められた形状となる。
【００２２】
本発明のうち第９の態様に係るものは、第１ないし第７のいずれかの態様に係るハンガーであって、前記部材連結体の一連の部材は、実質的に紐状体の周囲でのみ互いに接触する形状を有するものである。
【００２３】
この構成によれば、紐状体を緊張させ、ハンガー本体に衣服を掛けたときに、重みによりハンガー本体の腕が端下がりの自然な形状となる。
【発明の効果】
【００２４】
以上のように本発明によれば、腕が適度に端下がりとなるように、ハンガー本体の形状を変えることのできるハンガーが実現する。
【図面の簡単な説明】
【００２５】
【図１】本発明の一実施の形態によるハンガーの構成を示す正面図である。
【図２】図１のハンガーの紐を緩めた状態を示す斜視図である。
【図３】図１のハンガーの中間部材の構造を示す図であり、（ａ）は一部を切除して斜め上方から見た形状を示す斜視図であり、（ｂ）は斜め下方からみた外観を示す斜視図である。
【図４】図１のハンガーの腕の端部に位置する部材の構造を示す部分切断斜視図である。
【図５】図１のハンガーの留め具の構造を示す部分切断正面図である。
【図６】本発明の別の実施の形態によるハンガーの構成を示す正面図である。
【図７】本発明のさらに別の実施の形態によるハンガーの構成を示す正面図である。
【図８】本発明のさらに別の実施の形態によるハンガーの構成を示す正面図である。
【図９】本発明のさらに別の実施の形態によるハンガーの構成を示す正面図である。
【図１０】本発明のさらに別の実施の形態によるハンガーの腕の構成を示す正面図である。
【発明を実施するための形態】
【００２６】
図１は、本発明の一実施の形態によるハンガーの構成を示す正面図である。このハンガー１０１は、左腕１と、右腕２と、それらの中間に位置する中間部材３と、紐４，５と、紐４，５にそれぞれ取り付けられた留め具６，７と、中間部材３の頂部に取り付けられたフック８とを含んでいる。左腕１と右腕２における「左」及び「右」の名称は、両者を区別するために便宜的に付しているに過ぎない。両腕１、２及び中間部材３は、衣類を掛けるためのハンガー本体を構成する。
【００２７】
左右の腕１，２は、中間部材３から切り離された部材である。さらに左右の腕１，２は、いずれも、互いに切り離された複数の部材に分割されている。図１に示す例では、左腕１は、腕部材１１〜１７からなる７個の部材に分割されており、同様に、右腕２は、腕部材２１〜２７からなる７個の部材に分割されている。中間部材、腕部材１１〜１７、及び腕部材２１〜２７は、例えば、木製あるいは合成樹脂製である。
【００２８】
左腕１の端部に位置する腕部材１７には、紐４の一端部が係止されている。残る腕部材１１〜１６には、紐４の通路をなす貫通孔（図示略）が形成されており、中間部材３にも、紐４が貫通する通路が形成されている。中間部材３から正面に出ている紐４を引き出し、張力を加えることにより、中間部材３及び腕部材１１〜１７を、図１に示すような本来のハンガー本体の形状とすることができる。紐４に取り付けられた留め具６を、紐４に沿って中間部材３に当接するまで移動させ、さらに、紐４に固定されるように紐４を捕捉させることにより、紐４が中間部材３の貫通通路へ逆戻りすることを妨げ、それにより中間部材３及び腕部材１１〜１７を図１に示す形状に維持することができる。
【００２９】
中間部材３及び腕部材２１〜２７についても、紐５及び留め具７を同様に操作することにより、図１に示す形状に維持することができる。この状態において、ハンガー１０１は、衣服を掛ける用途に使用することが可能となる。このように、留め具６，７は、紐４，５の緊張を維持する係止部材として機能するものである。中間部材３から正面に出ている紐４，５の端部には、留め具６，７が紐４，５から抜け落ちることを防止するための抜け止め４１，５１が取り付けられている。
【００３０】
紐４，５に沿った留め具６，７の固定位置を調節することにより、紐４，５の緊張を適度に調節することも可能である。例えば着衣や脱衣の際に、紐６，７を適度に緩めることにより、腕１及び２を端下がりにすることが可能となる。それにより、四十肩などにより肩の動きが自由でない利用者が、着衣及び脱衣を容易に行うことが可能となる。
【００３１】
図２は、ハンガー１０１について、紐４，５を緩めた状態を示す斜視図である。留め具６，７による紐４，５の捕捉を手操作により解除することにより、紐４，５を緩めることができる。図２に示すように、留め具６を抜け止め４１に当接するまで移動させたときには、腕部材１１〜１７及び中間部材３は、紐４により互いに連結状態を維持しつつも、互いに屈曲自在となる。
【００３２】
紐４は、腕部材１１〜１６に形成された貫通孔１１１，１２１等を移動可能であり、中間部材３に形成された貫通通路をも移動可能である。腕１の端部に位置する腕部材１７にも、紐４を挿通させるための貫通孔１７１が形成されている。紐４の端部は、貫通孔１７１の内部または貫通孔１７１の端部側開口部（図示略）にて、接着剤（図示略）あるいは紐４の結び目（図示略）等により、腕部材１７に係止される。腕部材１１〜１７は、各々が紐４の周りに回転しても腕１の形状に影響しないように、紐４を挿通させる貫通孔１１１、１２１、１７１等の周りに回転対称となる形状に形成されている。
【００３３】
図２には更に、中間部材３に形成された、紐４のための貫通通路の一部をなす孔３２及び３４、及び紐５のための貫通通路の一部をなす孔３５が示されている。紐５及び留め具６についても、同様に操作することにより、図示を略する腕部材２１〜２７及び中間部材３を、互いに屈曲自在とすることができる。それにより、ハンガー１０１は、収納や携行に適したものとなる。なお図２では、腕部材１１及び１２を便宜上、紐４に沿った上方に浮いたように描いているが、ハンガー１０１を図２のように吊り下げたときには、腕部材１１〜１６は、本来は重力の作用により、腕１の端部に位置する腕部材１７の上に積み重なるべきものである。
【００３４】
図３は、ハンガー１０１の中間部材３の構造を示す図である。図３（ａ）は、中間部材３について、一部を切除して斜め上方から見た形状を示す斜視図であり、図３（ｂ）は斜め下方からみた外観を示す斜視図である。中間部材３は、一例として立体台形状ないし四角錘台状であり、底面に開口する有底の孔３１が形成されている。着衣及び脱衣時の衣服の滑らかな動きを妨げないように、中間部材３の角部は丸みを持つように形成されるのが望ましい。図３に示す例では、孔３１は、加工が容易な円柱状の窪みである。中間部材３の左側壁には孔３２が形成され、正面壁には孔３４、３５が形成され、右側壁には孔３３が形成されている。これらの孔３２〜３５は、中間部材３の内部において、いずれも孔３１の側壁面に開口している。紐４（図２参照）は、孔３２、３１及び３４を貫通通路とし、紐５（図２参照）は、孔３３、３１及び３５を貫通通路とする。
【００３５】
中間部材３の上面壁中央、すなわち孔３１の底壁中央には、この底壁を貫通する孔３６が垂直に形成されており、この孔３６にフック８の直線状の脚部が挿通されている。孔３１に侵入するフック８の下端部には、抜け止め８１が固定され、それによりフック８が中間部材３から外れないようになっている。フック８は例えば金属製であり、抜け止め８１とフック８の針金状の本体部とは、例えば蝋付け、或いは溶接により固着されている。抜け止め８１を設けずに、フック８の針金状の下端部を折り曲げることにより、抜け止めとして機能させることも可能である。抜け止め８１を有するフック８を中間部材３に取り付けるには、例えば、直線状の針金の一端部に抜け止め８１を固着し、他端部を孔３６に下方から挿入し、さらに孔３６の上方に引き上げ、その後に、孔３６の上方に出ている針金をフック８の形状に曲げるとよい。
【００３６】
図４は、ハンガー１０１の腕１の端部に位置する腕部材１７の構造を示す部分切断斜視図である。図４の例では、腕部材１７は略円錐形に形成され、さらに、中心軸に沿って貫通孔１７１及び１７２が形成されている。略円錐形の頂部は、衣服の滑らかな動きを妨げないように、丸みを持つように形成されている。貫通孔１７１は、腕部材１７の中間部材３に近い側に開口し、貫通孔１７２は遠い側に開口している。貫通孔１７１は、他の腕部材１１、１２等の貫通孔１１１、１２１（図２参照）等と同様に、紐４が挿通可能な程度の径を有するように形成される。貫通孔１７２は、貫通孔１７１よりも大きい径を有するように形成される。紐４の端部は貫通孔１７１に、中間部材３に近い側から挿入され、貫通孔１７１を通り抜けた紐４の端部には結び目４３が形成される。結び目４３が貫通孔１７２内に納まり、貫通孔１７１の開口端縁に当接することにより、紐４の端部が腕部材１７に係止される。
【００３７】
図５は、留め具６及び７を代表して、留め具６の構造を示す部分切断正面図である。図５に例示する留め具６は、「コードストッパー」の名称で知られる周知の器具である。この留め具６は、シリンダ６１、可動部６５、及びスプリング６４を含んでいる。有底であるシリンダ６１の空洞６２の底面には、スプリング６４の一端が固定されている。可動部６５は、円筒状の空洞６２に摺動可能に挿入された円柱状部６６と、円柱状部６６の上面に固定された円盤状の押しボタン６８とを含んでいる。スプリング６４の他端は、円柱状部６６の底面に固定されている。
【００３８】
シリンダ６１の側壁のうち、径方向に向き合う関係にある２箇所に、貫通孔６３が径方向に形成されている。また、円柱状部６６には、貫通孔６７が径方向に形成されている。これらの貫通孔６３及び６７は、スプリング６４がある程度収縮するように可動部６８を押し下げたときに、互いに重なり合うように形成される。紐４は、貫通孔６３及び６７に挿通される。可動部６８を押し下げると、留め具６は紐４の捕捉を解除するので、留め具６を紐４に沿って移動させることが可能となる。可動部６８を手から離して自由にすると、可動部３８は、スプリング６４の弾性復元力により押し上げられ、貫通孔６３と貫通孔６７の位置がずれる。それにより、紐４が留め具６に捕捉される。すなわち、留め具６が紐４に固定されることとなる。
【００３９】
図１に戻って、中間部材３の正面から出ている紐４及び５の端部を互いに結ぶことにより、１本の紐を成すように連結してもよい。あるいは、紐４及び５として、一本の紐を使用しても良い。この場合、中間部材３の正面から出て、一続きの環状となって垂れ下がる紐４及び５の下端部を引張ることにより、両腕１及び２のそれぞれを連結する紐４および５の部分を、同時に緊張させることができる。また、抜け止め４１及び５１が無くても、留め具６及び７が、紐４及び５から抜け落ちる恐れがない。なお、抜け止め４１及び５１は、例えば、図４に示した腕部材１７と同要領で、紐４及び５をそれぞれ係止する。
【００４０】
図６は、本発明の別の実施の形態によるハンガーの構成を示す正面図である。このハンガー１０２では、中間部材３の正面から出ている紐４及び５に、留め具６Ａが取り付けられている。留め具６Ａは、２本の紐４及び５を同時に捕捉及び捕捉解除可能に構成されている。かかる機能を有する留め具６Ａも、コードストッパーの名により市販されており、すでに周知の器具である。ハンガー１０２では、留め具６Ａの操作を、紐４及び５について、個別に行う必要がないので、取扱いがさらに容易となる。留め具６Ａに形成される紐４及び５を挿通させる孔が、紐４用と紐５用とに分離されている場合には、抜け止め４１及び５１を除去して、紐４及び５の端部を互いに連結するだけで、あるいは紐４および５を１本の紐とするだけで、留め具６Ａの抜け落ちを防ぐことができる。
【００４１】
図７は、本発明のさらに別の実施の形態によるハンガーの構成を示す正面図である。このハンガー１０３は、紐４及び５に代えて、１本の紐９が用いられる。紐９の一端部は、腕１の端部に位置する腕部材１７に係止されている。腕１を貫通する紐９は、中間部材３Ａを左右方向に貫通し、さらに腕２Ａを貫通し、腕２Ａの端部に位置する腕部材２７Ａの端部から外部に現れる。腕部材２７Ａの外部に出ている紐９の部分には、留め具７が取り付けられ、さらに紐９の他端には抜け止め９１が取り付けられている。
【００４２】
紐９の一端部は、一例として図４に示した形態と同様に、紐９自身の結び目９３により、腕部材１７に係止されている。中間部材３Ａには、中間部材３（図３）において、貫通孔３４及び３５が形成されないものが、一例として採用される。また、抜け止め９１には、一例として抜け止め４１（図１）と同一のものが採用される。腕部材２７Ａには、一例として、円筒状の留め具７を受け入れるための略半円柱状の溝が、端部に形成されている。
【００４３】
ハンガー１０３は、腕部材２７Ａの端部から出ている紐９を引き出し、張力を加えることにより、中間部材３Ａ及び腕１、２Ａを同時に、図６に示すような本来のハンガー本体の形状とすることができる。留め具７を、紐９に沿って腕部材２７Ａの端部の溝に当接するまで移動させ、さらに、紐９に固定されるように紐９を捕捉させることにより、中間部材３Ａ及び腕１、２Ａを図６に示す形状に維持することができる。留め具７による紐９の捕捉を手操作により解除することにより、紐９を緩めることができる。それにより、腕１及び２Ａを構成する多数の腕部材及び中間部材３Ａを、互いに屈曲自在とすることが可能である。また、紐６の緊張を適度に緩めることにより、腕１及び２Ａを同時に端下がりとすることも可能である。
【００４４】
以上のように、ハンガー１０３によれば、１本の紐９及び１個の留め具７を操作することにより、腕１及び２Ａの双方の形状を同時に変えることが可能である。また、腕１、中間部材３Ａ及び腕２Ａを貫通する紐９の形状が直線に近く、強い折れ曲がりがない。このため、紐９を緊張させるときに、折れ曲がり部による摩擦抵抗が比較的低く、余分な力を要しない。
【００４５】
図８は、本発明のさらに別の実施の形態によるハンガーの構成を示す正面図である。このハンガー１０４は、図７に示したハンガー１０３において、１本の紐９が２本の紐４及び５に分離された形態をなしている。紐４は、その一端部が中間部材３Ａに係止され、腕１Ａを貫通し、腕１Ａの端部に位置する腕部材１７Ａの端部から外部に現れる。腕部材１７Ａの外部に出ている紐４の部分には、留め具６が取り付けられ、さらに紐４の他端には抜け止め４１が取り付けられている。同様に、紐５は、その一端部が中間部材３Ａに係止され、腕２Ａを貫通し、腕２Ａの端部に位置する腕部材２７Ａの端部から外部に現れる。腕部材２７Ａの外部に出ている紐５の部分には、留め具７が取り付けられ、さらに紐５の他端には抜け止め５１が取り付けられている。
【００４６】
中間部材３Ａは、一例として、図３に示した中間部材３において貫通孔３４及び３５の形成を略した形状を有する。紐４の一端部は、一例として紐４自身の結び目４５が、中間部材３Ａの貫通孔３２（図３参照）の内側開口部の端縁に当接することにより、中間部材３Ａに係止される。同様に、紐５の一端部は、一例として紐５自身の結び目５５が、中間部材３Ａの貫通孔３３（図３参照）の内側開口部の端縁に当接することにより、中間部材３Ａに係止される。腕部材１７Ａ及び２７Ａには、一例として、円筒状の留め具６及び７をそれぞれ受け入れるための略半円柱状の溝が、端部に形成されている。
【００４７】
ハンガー１０４は、腕部材１７Ａの端部から出ている紐４と留め具６とを操作することにより、腕１Ａの形状を変えることができる。同様に、腕部材２７Ａの端部から出ている紐５と留め具７とを操作することにより、腕２Ａの形状を変えることができる。このように、ハンガー１０１と同様に、腕１Ａと腕２Ａの形状を、個別に変えることが可能である。
【００４８】
図９は、本発明のさらに別の実施の形態によるハンガーの構成を示す正面図である。このハンガー１０５は、ハンガー１０２（図６）において、紐５及び６が、中間部材３の頂部から引き出された形態をなしている。また、紐５及び６は、１本の紐９Ａをなすように連結されている。ハンガー１０５の中間部材３Ｃは、図３に示した中間部材３において、貫通孔３４、３５、３６が形成されず、代わりに、往復する紐９Ａの双方を挿通するための孔（図示略）が、中間部材３Ｃの上面壁中央付近、すなわち孔３１の底壁中央付近を貫通するように形成されている。この孔は、２個に分離されていても良く、１個であっても良い。
【００４９】
中間部材３Ｃの頂部から出て環状となる紐９Ａには、留め具６Ａ及びフック８Ａが取り付けられている。留め具６Ａは、往復２本の紐９Ａを捕捉及び捕捉解除するもので、一例として、図６に示した留め具６Ａと同一に構成される。フック８Ａの下端部は、輪を作るように折り曲げられた折り曲げ部８３を有している。折り曲げ部８３が作る輪に、紐９Ａが挿通されている。これにより、フック８Ａは、紐９Ａから外れないようになっている。折り曲げ部８３が作る輪は、紐９Ａに沿って移動可能な程度の形状及び大きさに設定されるのが望ましい。
【００５０】
ハンガー１０５は、中間部材３Ｃの頂部から出ている紐９と留め具６とを操作することにより、腕１及び２の形状を同時に変えることができる。また、中間部材３Ｃから出ている紐９Ａの部分が、一続きの環状をなすので、この環状の紐９Ａの部分のうち、中間部材３Ｃから最も遠い端部を引張ることにより、腕１及び２のそれぞれを連結する紐９Ａの部分を同時に緊張させることができる。また、一続きの環状をなす紐９Ａの部分が、中間部材３Ｃの頂部から出ているので、フック８Ａに代えて環状の紐９Ａの部分を、例えば壁の吊り下げ金具に掛けることにより、ハンガー１０５を吊り下げることも可能となる。従って、ハンガー１０５からフック８Ａを除去した形態も、有用性を発揮する。
【００５１】
図１０は、本発明のさらに別の実施の形態によるハンガーの腕の構成を示す正面図である。このハンガー１０６の腕１Ｂは、ハンガー１０１（図１）の腕１と同様に、多数の腕部材１１Ｂ〜１７Ｂに分割されている。腕部材１１Ｂ〜１７Ｂは、互いに向き合う面、及び中間部材３と向き合う面が、凸面状に膨出している。それにより、腕部材１１Ｂ〜１７Ｂ及び中間部材３の互いの間は、実質的に紐４の周囲でのみ互いに接触する。また、図示を略するが、腕１Ｂと反対側の腕も同様に構成される。このため、紐４を緊張させた状態のハンガー１０６の両腕に、衣服を掛けたときに、重みにより両腕が先下がりの自然な形状となる。
【符号の説明】
【００５２】
１、２、１Ａ、２Ａ、１Ｂ  腕（ハンガー本体）
３、３Ａ、３Ｂ、３Ｃ  中間部材（ハンガー本体）
４、５、９、９Ａ  紐（紐状体）
６、７、６Ａ  留め具
１１〜１７、２１〜２７、１１Ａ〜１７Ａ、２１Ａ〜２７Ａ、１１Ｂ〜１７Ｂ  腕部材
３１、３２、３３、３４、３５  孔（通路）
１０１〜１０６  ハンガー
１１１、１２１、１７１、１７２  貫通孔（通路）
【図１】
0005841005.tif 000002
【図２】
0005841005.tif 000003
【図３】
0005841005.tif 000004
【図４】
0005841005.tif 000005
【図５】
0005841005.tif 000006
【図６】
0005841005.tif 000007
【図７】
0005841005.tif 000008
【図８】
0005841005.tif 000009
【図９】
0005841005.tif 000010
【図１０】
0005841005.tif 000011